(57)【要約】【目的】ガラスを有する窓やドアに装着されたクレセント錠、ハンドル錠、ラッチ錠等の錠に対してなされる不正行為に対する警報が可能であると共に、誤作動によって警報動作を行うことのない警報装置付錠を提供すること。【解決手段】ガラス付の窓やドア用のクレセント錠、ハンドル錠、ラッチ錠等の錠であって、窓やドア、または窓枠やドア枠に対する異常振動を検知する検知待機モードを備えた検知手段と、検知手段からの信号に基づいて所定の時間が経過する間警報待機モードにセットすると共に、この警報待機モード中に上記錠の開放動作がなされると警報を行う警報手段と、上記警報待機モードが誤ってセットされた時に警報手段の作動を解除可能な誤作動防止手段とを具備すること。【選択図】    図１
2005009195.tif 000002
【特許請求の範囲】
【請求項１】
ガラス付の窓やドア用のクレセント錠、ハンドル錠、ラッチ錠等の錠であって、窓やドア、または窓枠やドア枠に対する異常振動を検知する検知待機モードを備えた検知手段と、検知手段からの信号に基づいて所定の時間が経過する間警報待機モードにセットすると共に、この警報待機モード中に上記錠の開放動作がなされると警報を行う警報手段と、上記警報待機モードが誤ってセットされた時に警報手段の作動を解除可能な誤作動防止手段とを具備することを特徴とする警報装置付錠。
【請求項２】
誤作動防止手段は、警報待機モードの解除を、所定時間経過後に自動的に行うか、および／または手動によって当該モードの解除を行うことができるように構成した請求項１記載の警報装置付錠。
【請求項３】
上記誤作動防止手段は、自動的に警報待機モードを解除した際には、所定の時間経過後、再び検知待機モードにセットされるよう構成した請求項２記載の警報装置付錠。
【発明の詳細な説明】
【０００１】
【発明の属する技術分野】
この発明は、ガラスが嵌め込まれた引き戸や開き戸形態の窓やドアに装着される錠に対してなされる不正解錠を検知して警報することができる警報装置付錠に関する。
【０００２】
【従来の技術及び発明が解決しようとする課題】
従来、家屋の窓やリビング、勝手口、排煙口等に取付けられている引き戸や開き戸形態の窓やドアは、採光を考慮してガラスが嵌め込まれた構成のものであり、これらの窓やドアの施錠を行うためにクレセント錠、ハンドル錠、ラッチ錠等の錠（面付け錠）が取付けられていて、窓やドアを施錠可能に構成されている。上記クレセント錠、ハンドル錠、ラッチ錠等の錠は、一般的な構造として、操作レバーと、操作レバーによって作動する施錠部としての作用部とを有するもので、引き戸等に設けられた係止部に上記作用部を係止させて窓やドアを施錠する構成態様のものである。
【０００３】
そして、近年、このようなクレセント錠やハンドル錠等の錠を具備するガラス窓に対して、ガラスを局部加熱して破損させ、破損部分から工具を挿入して解錠して不法侵入する犯罪が発生している。このような不正解錠に対応する錠のうち、例えばクレセント錠は、特許文献１または２に開示されたように、クレセント錠の操作部を覆うガードカバーを設けたものや、操作部が解錠方向に回転されないようにする解錠防止機構を具備するものが提案されている。
【０００４】
しかしながら、ガラスを破損させる方法が巧妙になってガラスに比較的大きな孔を開けることができるため、上記ガードカバーを装着する錠や、解錠防止機構を具備するクレセント錠であっても、腕を差し込んで簡単に不正解錠を行うことができるようになり、さらに他の防犯装置が切望されていた。
また、ガラスの振動を検知する警報装置としてガラスに貼り付けて装着する警報器も出現しているが、この警報器は、振動を検知すると直ちに警報音が発生するよう構成されており、強風等によるガラスの振動も検知して当該警報器が誤作動してしまうので、検知精度の高い警報装置の出現が切望されていた。
【０００５】
そこで、この発明は、ガラスを有する窓やドアに装着されたクレセント錠、ハンドル錠、ラッチ錠等の錠に対してなされる不正行為に対する警報が可能であると共に、誤作動によって警報動作を行うことのない警報装置付錠を提供することを目的としている。
【０００６】
【特許文献１】
特開平９−７８９０１号公報
【特許文献２】
特開平１１−１０１０３８号公報
【０００７】
【課題を解決するための手段及び発明の効果】
上記目的を達成するため、この発明の警報装置付錠は、ガラス付の窓やドア用のクレセント錠、ハンドル錠、ラッチ錠等の錠であって、窓やドア、または窓枠やドア枠に対する異常振動を検知する検知待機モードを備えた検知手段と、検知手段からの信号に基づいて所定の時間が経過する間警報待機モードにセットすると共に、この警報待機モード中に上記錠の開放動作がなされると警報を行う警報手段と、上記警報待機モードが誤ってセットされた時に警報手段の作動を解除可能な誤作動防止手段とを具備することを特徴としている。
【０００８】
上記構成の警報装置付錠では、検知待機モードを有する検知手段と、警報手段を具備するので、ガラスが破損される際の振動を検知すると、当該警報装置を警報待機モードにセットすると共に、このモードで所定の時間が経過する間に、錠の開放動作がなされると不正解錠と判断して警報を発することができ、２段階検知によってより確実に不正解錠を判断することができる。
そして、上記警報手段は、振動を検知して警報待機モードにセットされたけれども、施錠時等の正常な使用による振動によって誤ってセットされた場合には、誤動作防止手段により上記警報待機モードを解除して警報手段の作動を解除することができ、誤作動を無くして不正解錠の監視が必要な時だけ当該警報装置を確実に作動させることができる。
【０００９】
また、この発明の請求項２記載の警報装置付錠は、誤作動防止手段は、警報待機モードの解除を、所定時間経過後に自動的に行うか、および／または手動によって当該モードの解除を行うことができるように構成しているので、強風等によるガラスの振動等によって警報待機モードにセットされても、錠の開放動作がなされない限り、上記警報待機モードを自動的に解除することができる。また、錠の施錠時に振動が検知されて警報待機モードにセットされてしまった場合には、手動によって当該モードを解除することができるので、不正解錠の監視が必要な時だけ当該警報装置を確実に作動させることができる。
【００１０】
この発明の請求項３記載の警報装置付錠は、誤作動防止手段は、自動的に警報待機モードを解除した際には、所定の時間経過後、再び検知待機モードにセットされるよう構成しているので、強風等による場合等、自動的に警報待機モードが解除された時には、所定の時間経過後、再び検知待機モードにセットすることができ、誤作動を防止すると共に、自動的に再び検知待機モードとすることができるので、誤作動があっても、再び検知待機モードに自動的にセットすることができ、異常時のみをより確実に検知することができる。
【００１１】
【発明の実施の形態】
次いで、この発明の実施の形態を図面を参照して説明する。図１はこの発明の実施態様を示すクレセント錠の斜視図、図２は警報装置の正面図、図３は断面図、図４は警報装置のブロック図である。
この発明の実施の形態の警報装置付錠１は、この例ではクレセント錠１０を示しており、クレセント錠１０は、概略構成として取付ベースとなる錠基部１１と、錠基部１１に回動可能に装着されたクレセント１２と、ガラス戸側に装着するクレセント受具１３とからなり、警報手段としての警報装置２０を錠基部１１内に具備するものである。
【００１２】
クレセント錠１０は、クレセント１２とクレセント受具１３とは、従来のものとほぼ同様の構成のものであり、錠基部１１は、クレセント１２を支持すると共に、警報装置２０を内装している。警報装置２０は図２に示すように、クレセント錠１０部分と別体に構成して、既存のクレセント錠１０に対して後付けで装着することもできるように構成している。なお、この実施の態様のクレセント１２は、キー付クレセントにおける構成例を示している。
【００１３】
上記警報装置２０は、図４に示すように、電源部２１、振動センサ部２２、マイコン２３、警報部２４、フォトセンサ２５、電圧監視部２６、２つの表示ランプ２７，２８を具備するものである。電源部２１は、例えば、公知のボタン型リチウム電池を備え、定電圧発生回路を介してマイコン２３に給電する。振動センサ部２２は、ガラス戸に付加された振動を検知してマイコン２３に検知信号を送るものであり、この検知信号に基づいてマイコン２３が後述する動作を制御する。警報部２４は、９０デシベル以上の警報音を鳴動させたり、警報ランプを発光させたりすることができる。フォトセンサ２５は、クレセント１２の動作を監視するもので、クレセント１２に対向する発光部と受光部とを設けているものであり、クレセント１２の回動を検知すると当該フォトセンサ２５からマイコン２３へ検知信号を出力することができる。電圧監視部２６は、内蔵電池が規定電圧を保持しているかどうかを監視するものであり、規定より低電圧になった場合に検出信号を出力する。そして、２つの表示ランプ２７，２８は、一つは警報用のランプで、警報動作の段階に応じて点滅または点灯状態となるものであり、他の一つは上記規定電圧より低下した場合に点灯する注意喚起用のものであり、いずれも赤色のＬＥＤ（液半導体発光素子）にて構成しているが、発光色は任意に選択可能である。なお、電圧監視用のランプとしては、正常作動時にグリーン色の発光色となり、電圧が低下してきたらオレンジに変わり、作動不能状態になると消灯する構成のものを採用することもできる。
【００１４】
次に、この警報装置付錠１の作用を説明すると、クレセント錠１０は、通常２枚以上の引き戸の施錠用に使用されるものであり、錠基部１１をガラス戸の窓枠や窓枠等に装着すると共に、クレセント受具１３を他方の窓枠に装着する。
そして、クレセント錠１０を施錠した状態でスイッチ（図示せず）を入れて警報装置を作動状態（検知待機モード）とする。このモード時においてガラスや窓枠に対して振動が加わると、錠基部１１内の振動センサ部２２がその振動を検知して検出信号をマイコン２３へ出力する。マイコン２３は、この信号を受信して警報待機モードに切り換える。
【００１５】
警報待機モードでは、マイコン２３は警報用の表示ランプ２７を警報待機モードとして点滅状態とすると共に、警報待機モードにセットされた経過時間のカウントを開始する。
この時間のカウントは、上記ガラス戸への振動が不審者によるものか、または不審者以外の理由による揺れかを判断するために行うものであり、不審者がガラスを破損させて侵入する場合には、ガラス戸に対する振動が発生した後、すなわちガラスを破損させることによって振動が発生した後、比較的短時間の間にクレセント１２の開放動作を行おうとするので、それらの一連の動作を監視しようとするものである。したがって、上記警報待機モードにセットされた後、このモードの作動中にクレセント１２が回動されるとフォトセンサ２５からの検知信号が出力される。このため、不審者による不法侵入と判断して警報装置２０から警報音を鳴動させ、表示ランプ２７を点灯させたり素早い点滅状態で表示させるようにしている。上記警報待機モードにセットしておく時間としては任意に設定可能に構成しており、ドアや窓の設置条件等、種々の要件を加味して最適な時間に設定するもので、不審者は上記の時間内にガラスを破損させた後比較的短時間にクレセント１２を回す行動を起こすものと推測されており、それらの条件等を勘案して設定することができる。
【００１６】
他方、ガラスや窓枠への振動を検知して警報装置２０が警報待機モードにセットされたが、不審者に起因する振動発生以外の場合には、上記モードを解除可能に構成しているもので、上記設定した時間が経過したら当該モードを自動的に解除して、検知待機モードに戻るように構成している。
警報待機モードを手動で解除する態様としては、この実施の態様のようにキー付クレセント錠の場合であれば、このキーを解除キー用孔２９に差し込んで解除する構成とすることもできる。このように構成しておくことにより、誤作動を任意に解除することができるので、警報待機モードのセット時間をより自由な設定とすることが可能となる。また、クレセント錠に付属しているキーを使用できるので、キーの管理も容易となる。キーによって解除する構成を採用することにより、スイッチ等による構成よりセキュリティ面でより安全な錠を提供することができる。
【００１７】
誤作動による警報待機モードが解除された場合には、再び当初の警報監視モードに戻るが、キー付クレセント錠による場合にはクレセントキーを抜いた後、所定の時間をおいて警報監視モードに入るように設定することもできる。クレセントキーの操作者が誤ってガラス戸等へ接触して振動させてしまうケースがあるので、クレセントキーの操作の後、一定の時間経過した後に警報監視モードになるようにすることで、更なる誤作動を確実に防止することができる。
【００１８】
なお、上記警報装置２０の動作を開始させる構成としては、ＯＮ−ＯＦＦスイッチを装備する構成の他、クレセント１２の回動監視用の上記フォトセンサ２５を利用してクレセント１２が施錠されるのを検知する構成、または、キー付クレセント錠の場合には、キーによって開始、終了を任意に設定する構成等も採用でき、不審者による警報待機モードの解除を防止する構成とすることができる。
電圧監視部２６は、内蔵電源の電圧を監視するもので、例えば３．０Ｖのボタン型リチウム電池の場合には、２．７Ｖ程度に電圧が降下した際に表示ランプ２８を点滅若しくは変色させたり、それ以下の電圧に低下した場合には表示ランプ２８を点灯若しくは消灯させたりすることができる。電圧の監視方法としては、警報装置２０をＯＮ−ＯＦＦ可能な構成としている場合には、電池の消耗度を考慮して、電源をＯＮにしたときにのみ、電圧が正常であればグリーン色ランプを短時間点灯させるようにしても良い。
【００１９】
また、警報手段としては、無線信号を発するように構成して、受信部を離れたところに設置しブザー等の警報手段を作動させることができると共に、受信部は、警備会社への通報手段を内蔵させる構成とすることもできる。
さらに、クレセント１２の回動を検出するセンサとしては、上記したようなフォトセンサ２５の他、磁気を利用した近接センサ等も使用することができる。また、クレセント１２の軸芯に装着する構成のセンサ等も採用することができる。
【００２０】
警報装置付錠の構成としては、上記したクレセント錠の他、図５および図６に示すように、ラッチ錠３０であっても良い。このラッチ錠３０は、錠本体３１内に警報装置３２を内蔵可能な構成とすることもできるものであり、ラッチの突出部分の両側にフォトセンサ３３を装備する構成として、図５および図６に示すように、フォトセンサ３３の検出方向を水平方向または垂直方向の何れかの構成を選択できるものである。このラッチ錠３０の他の構成は上記の実施の態様のものとほぼ同様に形成してあり、さらにキー付ラッチ錠を採用する構成も選択可能である。
【００２１】
また、図７に示すように、ハンドル型錠４０についても警報装置４１を具備する構成を採用することができる。さらに、上記したクレセント錠、ラッチ錠、ハンドル錠の他、窓やドアに装着する錠に対して採用可能であり、例えばドア錠等に装備されたサムターンに対する警報装置としてもこの発明を実施できるものである。
そして、ガラス付の窓やドアとしては、引き戸、開き戸の他、家屋の窓やリビング、勝手口、排煙口等に装着される構成であっても良く、特に不法侵入されやすいガラスが嵌め込まれた窓や戸類に装着される錠に対して本発明は好適に適用できるものである。
【図面の簡単な説明】
【図１】この発明の実施態様を示すクレセント錠の斜視図である。
【図２】警報装置の正面図である。
【図３】クレセント錠の断面図である。
【図４】警報装置のブロック図である。
【図５】この発明の他の実施の態様としてのラッチ錠の斜視図である。
【図６】この発明のさらに他の実施の態様としてのラッチ錠の斜視図である。
【図７】この発明の他の実施の態様としてのハンドル錠の斜視図である。
【符号の説明】
１        警報装置付錠
１０      クレセント錠
２０，３２，４１      警報装置
２２，３３      振動センサ部
２３      マイコン
２６，２７  表示ランプ
Ｇ        ガラス
【図１】
2005009195.tif 000003
【図２】
2005009195.tif 000004
【図３】
2005009195.tif 000005
【図４】
2005009195.tif 000006
【図５】
2005009195.tif 000007
【図６】
2005009195.tif 000008
【図７】
2005009195.tif 000009